(57)【要約】      （修正有）【課題】単純で信頼性が高い機構を作ることによって腕時計用の日付及び月相の機構の駆動を単純化する。【解決手段】腕時計用の日付及び月相のディスプレー機構１００であり、計時器用ムーブメント２００によって駆動されるように構成している内側歯列２がある日付リング１を有しているか又は計時器用ムーブメント２００の内側歯列２がある日付リング１と連係するように構成している。このディスプレー機構１００は、月ジャンパーによって所定位置に保持される月ディスプレー車セット３を有し、日付リング１が回転するごとに内側歯列２によってアクチュエートされるように構成しており日付リング１が回転するごとに第１の一定の角度的ピッチの分、月ディスプレー車セット３を駆動するように構成している駆動手段５を有する。【選択図】図１
2018189631.tif 000002
【特許請求の範囲】
【請求項１】
腕時計用の日付及び月相のディスプレー機構（１００）であって、
当該ディスプレー機構（１００）は、計時器用ムーブメント（２００）によって駆動されるように構成している内側歯列（２）がある日付リング（１）を有しているか又は計時器用ムーブメント（２００）の内側歯列（２）がある日付リング（１）と連係するように構成しており、
当該ディスプレー機構（１００）は、月ジャンパー（３９）によって所定位置に保持される月ディスプレー車セット（３）を有し、
当該ディスプレー機構（１００）は、前記日付リング（１）が回転するごとに前記内側歯列（２）によってアクチュエートされるように構成しており前記日付リング（１）が回転するごとに第１の一定の角度的ピッチの分、前記月ディスプレー車セット（３）を駆動するように構成している駆動手段（５）を有しており、
前記駆動手段（５）は、エントリー軸（Ａ５）のまわりを回転するエントリーレバー（５０）を有し、
前記エントリーレバー（５０）には、前記内側歯列（２）と連係するように構成している第１の端（５１）と、メイン軸（Ａ７）のまわりを回転するメインレバー（７）にある支え面（７２）と係合しこの支え面（７２）を押すように構成しており前記月ディスプレー車セット（３）の回転を直接的又は間接的に制御するように構成している第２の端（５２）がある
ことを特徴とするディスプレー機構（１００）。
【請求項２】
前記メインレバー（７）は、第２の軸（Ａ８）のまわりを回転する第２のレバー（８）を介して前記月ディスプレー車セット（３）の回転を間接的に制御するように構成している
ことを特徴とする請求項１に記載のディスプレー機構（１００）。
【請求項３】
前記メインレバー（７）と前記第２のレバー（８）は、前記メインレバー（７）が前記エントリーレバー（５０）によって駆動されているときに、前記メインレバー（７）に対する前記第２のレバー（８）の運動の遅延を確実にするように互いに対して構成している
ことを特徴とする請求項２に記載のディスプレー機構（１００）。
【請求項４】
前記メインレバー（７）は、前記第２のレバー（８）にあるオブロング溝（８１）内を動くピン（７１）を有し、これによって、前記メインレバー（７）が前記エントリーレバー（５０）によって駆動されているときに前記メインレバー（７）に対する前記第２のレバー（８）の運動の前記遅延を確実にする
ことを特徴とする請求項３に記載のディスプレー機構（１００）。
【請求項５】
前記メインレバー（７）は、前記エントリーレバー（５０）によって前記メインレバー（７）に与えられる推力に抗する傾向があるメインジャンパー（７９）上に安定配置される
ことを特徴とする請求項１に記載のディスプレー機構（１００）。
【請求項６】
当該ディスプレー機構（１００）は、日付ジャンパー（６９）によって所定位置に保持される日付ディスプレー車セット（６）を有し、
前記メインレバー（７）は、前記日付リング（１）が回転するごとに第２の一定の角度的ピッチの分、前記日付ディスプレー車セット（６）の回転を直接制御するように構成している
ことを特徴とする請求項１に記載のディスプレー機構（１００）。
【請求項７】
前記月ディスプレー車セット（３）と日付ディスプレー車セット（６）は、向きが反対の２つのラチェット車である
ことを特徴とする請求項６に記載のディスプレー機構（１００）。
【請求項８】
前記月ディスプレー車セット（３）には５９個の歯があり、
前記日付ディスプレー車セット（６）には３１個の歯がある
ことを特徴とする請求項７に記載のディスプレー機構（１００）。
【請求項９】
当該ディスプレー機構（１００）は、ユーザーによって月補正ジャンパー（９９）が操作されるように構成している月ディスプレー補正手段（９）を有する
ことを特徴とする請求項１に記載のディスプレー機構（１００）。
【請求項１０】
当該ディスプレー機構（１００）は、ユーザーによって日付補正ジャンパー（４９）が操作されるように構成している日付ディスプレー補正手段（４）を有する
ことを特徴とする請求項６に記載のディスプレー機構（１００）。
【請求項１１】
当該ディスプレー機構（１００）は、前記内側歯列（２）がある前記日付リング（１）を有しているか又は前記内側歯列（２）がある前記日付リング（１）を駆動するように構成している駆動車を有している計時器用ムーブメント（２００）に重ねることができる独立したモジュールを形成している
ことを特徴とする請求項１に記載のディスプレー機構（１００）。
【請求項１２】
腕時計用の日付及び月相のディスプレー機構（１００）であって、
当該ディスプレー機構（１００）は、計時器用ムーブメント（２００）によって駆動されるように構成している内側歯列（２）がある日付リング（１）を有しているか又は計時器用ムーブメント（２００）の内側歯列（２）がある日付リング（１）と連係するように構成しており、
当該ディスプレー機構（１００）は、月ジャンパー（３９）によって所定位置に保持される月ディスプレー車セット（３）を有し、
当該ディスプレー機構（１００）は、前記日付リング（１）が回転するごとに前記内側歯列（２）によってアクチュエートされるように構成しており前記日付リング（１）が回転するごとに第１の一定の角度的ピッチの分、前記月ディスプレー車セット（３）を駆動するように構成している駆動手段（５）を有しており、
当該ディスプレー機構（１００）は、前記内側歯列（２）がある前記日付リング（１）を有しているか又は前記内側歯列（２）がある前記日付リング（１）を駆動するように構成している駆動車を有している計時器用ムーブメント（２００）に重なることができる独立したモジュールを形成している
ことを特徴とするディスプレー機構（１００）。
【請求項１３】
内側歯列（２）がある日付リング（１）を有しているか又は内側歯列（２）がある日付リング（１）を駆動するように構成している駆動車を有している計時器用ムーブメント（２００）であって、
前記日付リング（１）によって駆動されるように構成しているか又は前記駆動車によって駆動されるように構成している日付リング（１）を有する請求項１に記載のディスプレー機構（１００）を有する
ことを特徴とする計時器用ムーブメント（２００）。
【請求項１４】
請求項１３に記載の計時器用ムーブメント（２００）及び／又は請求項１に記載のディスプレー機構（１００）を有する
ことを特徴とする腕時計（１０００）。
【発明の詳細な説明】
【技術分野】
【０００１】
本発明は、腕時計用の日付及び月相のディスプレー機構に関し、計時器用ムーブメントによって駆動されるように構成している内側歯列がある日付リングを有するか又は計時器用ムーブメントの内側歯列がある日付リングと連係するように構成している。当該ディスプレー機構は、月ジャンパーによって所定位置に保持される月ディスプレー車セットを有し、当該ディスプレー機構は、前記日付リングが回転するごとに前記内側歯列によってアクチュエートされるように構成している駆動手段を有し、この駆動手段は、前記日付リングが回転するごとに第１の一定な角度的ピッチの分、前記月ディスプレー車セットを駆動するように構成している
【０００２】
本発明は、さらに、内側歯列がある日付リングを有しているか又は前記のような日付リングを内側歯列によって駆動するように構成している駆動車を有している計時器用ムーブメントに関する。
【０００３】
本発明は、さらに、前記計時器用ムーブメント及び／又は前記機構を有する腕時計に関する。
【０００４】
本発明は、計時器のディスプレー、特に、天文学的なディスプレー及び日付のディスプレー、の分野に関する。
【背景技術】
【０００５】
腕時計における天文学的なディスプレーや日付のディスプレーは、空間を必要とする複雑機構によって行われるものであり、既存のムーブメント内に搭載することが必ずしも容易ではなく、非常に高価になりうる。
【０００６】
Fabrique d'ebauches de Soncebozによる欧州特許出願ＥＰ０６２９９３２Ａ１は、１日当たり１ステップ角度的に動く内側歯列を備えた日付インジケーターを有する計時器を開示している。この計時器においては、少なくとも１つの回転式インジケーション手段が、前記日付インジケーターによって駆動され、また、日付や月相のような周期的なパラメーターを指示するようにされる。すべてが日付インジケーターによって制御されるいくつかのタイプのインジケーションによって、異なるディスプレーの組み合わせがあるような単純な設計の様々な腕時計を作ることが可能になる。
【０００７】
ASULABによる欧州特許出願ＥＰ１６７７１６５Ａ１は、月インジケーターによってアクチュエートされ太陰暦インジケーターをアクチュエートする暦機構を開示している。この暦機構は、１２か月である各平年及び１３か月である各閏年にて１回転するようにレバーによって駆動される月車セットを有する。月インジケーターは、スケール上に太陰日付をディスプレーし、そして、１又は２の朔望月ごとに１回転するようにクロックムーブメントによって駆動される。
【０００８】
OMEGAによるスイス特許出願ＣＨ７０６２６６Ａ２は、２つの駆動機構を有するディスプレーデバイスを有する機構を開示している。これらの２つの駆動機構は、共通の駆動機構を形成するように互いに組み合わさっている。この共通の駆動機構は、計時器用ムーブメントによって駆動される。このディスプレーデバイスは、共通の補正機構を形成するように組み合わせられる２つの補正機構を有する。この共通の補正機構は、共通の駆動機構とは独立にアクチュエーターによって駆動される。
【発明の概要】
【発明が解決しようとする課題】
【０００９】
本発明は、単純で信頼性が高い機構を作ることによって腕時計用の日付及び月相の機構の駆動を単純化することを提案するものである。本発明は、さらに、日付機構が同軸の針を有するような月相をディスプレーするシステムを開発することを提案するものである。
【課題を解決するための手段】
【００１０】
このために、本発明は、請求項１に記載の腕時計用の日付及び月相のディスプレー機構に関する。
【００１１】
本発明は、さらに、内側歯列がある日付リングを有しているか又はこのような内側歯列がある日付リングを駆動するように構成している駆動車を有している計時器用ムーブメントに関する。
【００１２】
本発明は、さらに、前記計時器用ムーブメント及び／又は前記機構を有する腕時計に関する。
【００１３】
添付の図面を参照しながら下記の詳細な説明を読むことで、本発明の他の特徴及び利点を理解することができるであろう。
【図面の簡単な説明】
【００１４】
【図１】本発明に係る日付及び月相のディスプレー機構を有する計時器用ムーブメントの概略平面図である。日付リングは、内側歯列を備え、この内側歯列は、８時の方向に示した位置において、本発明の機構のエントリーレバーに近づく。当該機構は、ピンを有するメインレバー上にて安定配置位置にある。このピンは、第２のレバーに形成されたオブロング溝におけるピンのトラベルの端において第２のレバーを駆動するように構成している。メインレバーは、日付ディスプレー車セットを形成するメインラチェット車を駆動するように構成しているメインくちばし部を有する。第２のレバーは、月ディスプレー車セットを形成する第２のラチェット車を駆動するように構成している第２のくちばし部を有する。この特定の実施形態において、６時において、月ディスプレー車セットと日付ディスプレー車セットは同軸であり、日付ディスプレー車セットは、図示していない針を同軸で担持するように構成している。
【図２】図１の機構についての、月ディスプレー車セットの軸、日付ディスプレー車セットの軸、メインレバーと第２のレバーの間のピンの軸、及びエントリーレバーの軸を通り抜ける図１の印Ａ−Ａに沿った概略断面図である。
【図３】図１の機構についての、図１において５時方向に示されている月ディスプレー補正機構の軸を通り抜ける図１の印Ｂ−Ｂに沿った概略断面図である。
【図４】同じ機構についての、日付リングがエントリーレバーとの接触し始めメインレバーのメインくちばし部がメインラチェット車を駆動する準備ができている時点における詳細を示す図１と同様な形態の図である。
【図５】図４の拡大詳細図である。
【図６】図４及び５における位置と同じ位置における同じ機構の斜視図である。
【図７】このタイプの機構を有する計時器用ムーブメントを有する腕時計を示しているブロック図である。
【発明を実施するための形態】
【００１５】
本発明は、腕時計用の日付及び月相のディスプレー機構１００に関する。
【００１６】
第１の変種において、この機構１００は、計時器用ムーブメント２００によって駆動されるように構成している内側歯列２がある日付リング１を有する。第２の変種において、この機構１００には、日付リング１がなく、この機構１００は、計時器用ムーブメント２００の、内側歯列２がある日付リング１と連係するように構成している。
【００１７】
１つの変種又は他の変種において、機構１００は、月ジャンパー３９によって所定位置に保持される月ディスプレー車セット３を有する。
【００１８】
機構１００は、日付リング１が回転するごとに内側歯列２によってアクチュエートされるように構成している駆動手段５を有する。この駆動手段５は、日付リング１が回転するごとに一定の角度的ピッチの分、月ディスプレー車セット３を駆動するように構成している。
【００１９】
本発明の原理は、月相車及び日付車をアクチュエートするレバー群を駆動することに基づく。特に、本発明によって、標準的な日付インジケーター（例、ＥＴＡ  ２８２４−２ムーブメント）を用い、基礎ムーブメントの日付インジケーターによって駆動されるモジュールを加えることが可能になる。なお、これに限定されない。なお、月相及び日付の機構を駆動する２つのレバーは、好ましくは、連接機構によって接続している。この連接機構は、特に、ピンに接するものである。
【００２０】
本発明によると、駆動手段５は、エントリー軸Ａ５のまわりを回転するエントリーレバー５０を有する。このエントリーレバー５０には、内側歯列２と連係するように構成している第１の端５１と、メインレバー７が備える支え面７２と係合し支え面７２を押すように構成している第２の端５２がある。このメインレバー７は、メイン軸Ａ７のまわりを回転し、月ディスプレー車セット３の回転を直接的又は間接的に制御するように構成している。
【００２１】
特に、メインレバー７は、第２の軸Ａ８のまわりを回転する第２のレバー８を介して月ディスプレー車セット３の回転を間接的に制御するように構成している。
【００２２】
特に、メインレバー７と第２のレバー８は、メインレバー７がエントリーレバー５０によって駆動されるときにメインレバー７に対する第２のレバー８の運動の遅延を確実にするように互いに対して構成している。
【００２３】
図示している特定の実施形態（これに限定されない）において、メインレバー７は、第２のレバー８に形成されるオブロング溝８１内を動くピン７１を有しており、これによって、メインレバー７と第２のレバー８のブロックを防ぐ。メイン軸Ａ７と第２の軸Ａ８が別個のものであるためである。特定のアプリケーションにおいて、このオブロング溝８１の長さを調整して、メインレバー７がエントリーレバー５０によって駆動されるときに、メインレバー７に対する第２のレバー８の運動の遅延を確実にすることができる。この遅延によって、日付のディスプレーと月相のディスプレーが同時に駆動されるときに発生しうるエネルギー消費のピークを防ぐことができる。
【００２４】
特に、メインレバー７は、エントリーレバー５０によってメインレバー７に与えられる推力に抗する傾向があるメインジャンパー７９上に安定配置される。
【００２５】
特に、機構１００は、日付ジャンパー６９によって所定位置に保持される日付ディスプレー車セット６を有する。メインレバー７は、日付車１が回転するごとに第２の一定の角度的ピッチの分、日付ディスプレー車セット６の回転を直接制御するように構成している。
【００２６】
図示している変種において、メインレバー７は、日付ディスプレー車セット６を形成するメインラチェット車を駆動するように構成しているメインくちばし部７８を有し、第２のレバー８は、月ディスプレー車セット３を形成する第２のラチェット車を駆動するように構成している第２のくちばし部８８を有する。
【００２７】
図示した変種において、月ディスプレー車セット３と日付ディスプレー車セット６は同軸であり、日付ディスプレー車セット６は、針を同軸で担持するように構成している。この特定の変種において、月ディスプレー車セット３の回転の向きは、日付ディスプレー車セット６と同じである。
【００２８】
特に、月ディスプレー車セット３と日付ディスプレー車セット６は、向きが反対の２つのラチェット車である。
【００２９】
特に、月ディスプレー車セット３には５９個の歯があり、日付ディスプレー車セット６には３１個の歯がある。
【００３０】
特に、機構１００は、プッシャーなどを介してユーザーによって月補正ジャンパー９９が操作されるように構成している月ディスプレー補正手段９を有する。特定の図示した例において、補正機構は、その軸のまわりを１０°の角変位にわたって回転する。その発動は、基礎ムーブメントにおける中間車システムによって可能になる。これによって、ムーブメントの制御ステムを介して迅速な補正を行うことが可能になる。
【００３１】
特に、機構１００は、同様な形態で、プッシャーなどを介してユーザーによって日付補正ジャンパー４９が操作されるように構成している日付ディスプレー補正手段４を有する。
【００３２】
特に、機構１００は、計時器用ムーブメント２００に重ねることができる独立したモジュールを形成する。このムーブメント２００は、内側歯列２がある日付リング１を有しているか又はこのような内側歯列２がある日付リング１を駆動するように構成している駆動車を有する。
【００３３】
本発明は、さらに、内側歯列２がある日付リング１を有しているか又はこのような内側歯列２がある日付リング１を駆動するように構成している駆動車を有する計時器用ムーブメント２００に関する。本発明によると、この計時器用ムーブメント２００は、日付リング１によって駆動されるように構成しているか又は駆動車によって駆動されるように構成している日付リング１を有している機構１００を有する。
【００３４】
本発明は、さらに、前記計時器用ムーブメント２００及び／又は前記機構１００を有する腕時計１０００に関する。
【００３５】
本発明によって、標準的な日付インジケーター（例、ＥＴＡ  ２８２４−２のタイプ）を駆動に用いることが可能になる。
【００３６】
当然、月相ディスプレーの代わりに及び／又は月相ディスプレーに加えて、本発明によって、同様な形態で、潮などの同様なディスプレーをすることが可能になる。
【００３７】
本発明は、同じ機構に基づいてわずかな変更しかせずに日付針を用いるディスプレーを可能にするような、通常の開口内に日付をディスプレーする構成に対する代替構成を提供する。
【００３８】
月相の機構と日付の機構を共通の駆動機構で駆動することによって、部品の数を抑えることができる。
【００３９】
本発明は、追加モジュールを設けることに非常に適している。
【符号の説明】
【００４０】
１  日付リング
２  内側歯列
３  月ディスプレー車セット
４  日付ディスプレー補正手段
５  駆動手段
６  日付ディスプレー車セット
７  メインレバー
８  第２のレバー
９  月ディスプレー補正手段
３９  月ジャンパー
４９  日付補正ジャンパー
５０  エントリーレバー
５１  第１の端
５２  第２の端
６９  日付ジャンパー
７１  ピン
７２  支え面
７９  メインジャンパー
８１  オブロング溝
９９  月補正ジャンパー
１００  ディスプレー機構
２００  計時器用ムーブメント
１０００  腕時計
【図１】
2018189631.tif 000003
【図２】
2018189631.tif 000004
【図３】
2018189631.tif 000005
【図４】
2018189631.tif 000006
【図５】
2018189631.tif 000007
【図６】
2018189631.tif 000008
【図７】
2018189631.tif 000009